(57)【要約】      （修正有）【課題】色再現性、また、色素画像の光に対する堅牢性が著しく改良され、発色性さらに、迅速処理性に優れたハロゲン化銀カラー写真感光材料を提供することにある。【解決手段】支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、下記一般式（１）で表されるイエローカプラー及び下記一般式〔Ｉ〕で表される化合物を含有することを特徴とするハロゲン化銀カラー写真感光材料。2005084074.tif 000118【選択図】        なし【特許請求の範囲】
【請求項１】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、下記一般式（１）で表されるイエローカプラー及び下記一般式〔Ｉ〕で表される化合物を含有することを特徴とするハロゲン化銀カラー写真感光材料。
【化１】
2005084074.tif 000105
〔式中、Ｒは置換基を表す。Ｘはアリール基または複素環基を表す。Ｚは−Ｎ−Ｃ＝Ｎ部と共に含窒素６員環を形成するのに必要な原子群を表す。Ｌは水素原子、又は現像主薬酸化体と反応して脱離可能な基を表す。〕
【化２】
2005084074.tif 000106
〔式中、Ｒ10およびＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
【請求項２】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔II〕で表される化合物を含有することを特徴とするハロゲン化銀カラー写真感光材料。
【化３】
2005084074.tif 000107
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23およびＲ24は各々アルキル基を表す。Ｒ25およびＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
【請求項３】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔III〕で表される化合物を含有することを特徴とするハロゲン化銀カラー写真感光材料。
【化４】
2005084074.tif 000108
〔式中、Ｒ31はアルキル基又はトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。〕
【請求項４】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔IV〕で表される化合物を含有することを特徴とするハロゲン化銀カラー写真感光材料。
【化５】
2005084074.tif 000109
〔式中、Ｒ41、Ｒ42、Ｒ43及びＲ44は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。Ｒ45はアルコキシ基、アリールチオ基、置換アルキル基を表す。〕
【請求項５】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｖ〕で表される化合物を含有することを特徴とするハロゲン化銀カラー写真感光材料。
【化６】
2005084074.tif 000110
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。ｎ５は１又は２を表す。〕
【請求項６】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｓ−Ｉ〕で表される化合物を含有することを特徴とするハロゲン化銀カラー写真感光材料。
【化７】
2005084074.tif 000111
〔式中、Ｒ61及びＲ62は各々アルキル基、シクロアルキル基、アルコキシ基またはハロゲン原子を表し、ｎ６は０〜４の整数を表し、ｎ６が２以上のとき、この２以上のＲ62は同じ基であっても異なる基であってもよく、またＲ61及びＲ62はお互いに結合して５員または６員の環を形成してもよい。〕
【請求項７】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｓ−II〕で表される化合物を含有することを特徴とするハロゲン化銀カラー写真感光材料。
【化８】
2005084074.tif 000112
〔式中、Ｒ71は連結基を表す。Ｒ72は炭素原子数２０以下のアルキル基、シクロアルキル基、アルケニル基またはアルキニル基を表す。ｎ７は２以上５以下の整数を表す。〕
【請求項８】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−Ｉ〕で表される化合物を含有することを特徴とするハロゲン化銀カラー写真感光材料。
【化９】
2005084074.tif 000113
〔式中、Ｒ81、Ｒ82及びＲ83は各々脂肪族基又は芳香族基を表し、ｌ８、ｍ８及びｎ８は各々０又は１を表す。但しｌ８、ｍ８及びｎ８は同時に１であることはない。〕
【請求項９】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−II〕で表される化合物を含有することを特徴とするハロゲン化銀カラー写真感光材料。
【化１０】
2005084074.tif 000114
〔式中、Ｒ91及び92は各々水素原子、アルキル基、シクロアルキル基、アルケニル基、シクロアルケニル基、アルキニル基、アリール基、複素環基、アルコキシ基、アリールオキシ基、複素環オキシ基、又は
【化１１】
2005084074.tif 000115
を表す。ここでＲ93及びＲ94は各々水素原子、アルキル基又はアリール基を表す。Ｒ91とＲ92は同じであっても異なっていてもよい。〕
【請求項１０】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−III〕で表される化合物を含有することを特徴とするハロゲン化銀カラー写真感光材料。
【化１２】
2005084074.tif 000116
〔式中、Ｊ3は２価の有機基を表し、Ｙはアルキル基、シクロアルキル基、アリール基、アルケニル基、アルキニル基、シクロアルケニル基、複素環基を表す。〕
【請求項１１】
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−IV〕で表される化合物を含有することを特徴とするハロゲン化銀カラー写真感光材料。
【化１３】
2005084074.tif 000117
〔式中、Ｒ111及びＲ112は各々脂肪族基又は−ＣＯＲ113（Ｒ113は脂肪族基を表す。）を表し、Ｊ11は２価の有機基又は単なる結合手を表し、ｎ１０は０〜６の整数を表す。〕
【発明の詳細な説明】
【技術分野】
【０００１】
本発明は、ハロゲン化銀カラー写真感光材料に関し、詳しくは色再現性及び色素画像の光に対する堅牢性が著しく改良され、発色性に優れ、さらに迅速処理性に優れるハロゲン化銀カラー写真感光材料に関する。
【背景技術】
【０００２】
本発明はハロゲン化銀写真感光材料（以下、単に感光材料、または感材とも言う）に関し、更に詳しくは、発色性が良好であり、色再現性に優れ、色素画像の光に対する堅牢性が著しく良好であり、かつ迅速処理性に優れたハロゲン化銀写真感光材料に関する。
【０００３】
近年、ハロゲン化銀感光材料の普及とともに、他の画像形成システムと対比して色再現性や画像保存性に優れたハロゲン化銀カラー写真感光材料への要求が強い。ハロゲン化銀カラー写真感光材料において最も一般的に使われているカラー画像形成法は、露光されたハロゲン化銀を酸化剤として、酸化された芳香族第１級アミン系カラー現像主薬とカプラーとを反応させて、インドフェノール、インドアニリン、インダミン、アゾメチン、フェノキサジン、フェナジン及びそれに類する色素を形成させる方法である。このような方式では、減色法によりカラー画像を再現する方法が用いられており、一般的にはイエロー、マゼンタ及びシアンの３色の色素の生成量を変える事によりカラー画像を形成させている。このうちイエロー色素画像を形成させるために用いられる写真用カプラーとしては、アシルアセトアニリド系カプラーが広く使用されている。カラーフィルムには発色の良いベンゾイルアセトアニリドタイプの化合物が、カラーペーパーには色調の優れたピバロイルアセトアニリドタイプの化合物が好んで用いられている。これらカプラーに要求される基本的性質としては単に色素を形成するだけではなく、形成された色素の分光吸収特性が優れていること、色素の形成速度が大きいこと、発色濃度が高いこと、及び形成された色素の光、熱、湿気に対する堅牢性が高いこと等の種々の特性を有することが望まれている。特に、感光材料に対して高感度化、高画質化が求められている昨今においては、発色濃度が高く、形成された色素の光に対する堅牢性が高いカプラーの開発が強く求められている。
【０００４】
良好な色再現性、高発色性ならびに耐光性を向上させたイエローカプラーの例としては、例えば特開昭６３−１２３０４７号に記載されているような、アニリド部の２位にアルコキシ基を、５位にアシルアミノ基を有するイエローカプラーが挙げられる。しかし、これらのカプラーは本質的にｐＫａが高く、発色性の点で改善が望まれる。
【０００５】
米国特許第４，１４９，８８６号、同４，０９５，９８４号、同４，４７７，５６３号または英国特許第１，２０４，６８０号等に記載されているようなマロンジアニリド型イエローカプラーは、発色性の点では改善されているものの、これらのカプラーにより得られるアゾメチン色素の分光吸収特性においては、長波側の裾引きがあり、色再現性上改善が望まれる。
【０００６】
特開平４−２１８０４２号、同５−１１４１６号等に記載されているようなＮ，Ｎ−置換マロンジアミド型イエローカプラーは、色再現性の点で改善されてはいるが、発色性の点では、完全に満足できるレベルにはない。
【０００７】
一方、仏国特許第９９１，４５３号、米国特許第２，５００，４８７号、特開昭５７−１５１９４４号に記載されているアルコキシアセトアニリド型イエローカプラーは、色再現性の点では良好であるが、発色性の点では不充分である。
【０００８】
特開平５−３１３３２３号に記載されているようなマロンアミドモノエステル型イエローカプラーも、色再現性の点では問題なく、発色性の点でも改善されてはいるものの、熱、湿気に対する堅牢性の点で満足できるカプラーではない。
【０００９】
また、米国特許第４，１４９，８８６号または特開２０００−２９７６号に記載されているようなピロリルアセトアニリド型やインドリルアセトアニリド型のイエローカプラーも、色再現性の点で改善されてはいるものの、発色性及び熱、湿気に対する堅牢性の点で満足できるカプラーではないのが現状である。
【００１０】
従来のイエロー色素形成カプラーにおいては形成される色素の色再現性、吸光係数が小さく、必要な発色濃度を得るために多量のカプラーやハロゲン化銀を必要とし、感光材料のコストが高くなる、感光材料の膜厚が増大し、得られる色像の鮮鋭性が低下する等の問題があった。この問題を解決するカプラーとして特許文献１に炭素数１〜６のアルキル基が置換したピリミドンが結合したアセトアニリド型カプラーが開示されている。この特許記載のカプラーは色再現性、高温高湿条件下や光照射による色素の安定性が改良されているものの、発色性に劣るという問題があった。
【００１１】
また、特許文献２には置換アルキル基が置換したピリミドンが結合したアセトアニリド型カプラーが、特許文献３にはアリール基または複素環基が置換したピリミドンが結合したアセトアニリド型カプラーが、特許文献４にはヘテロ原子等の二価の連結基が導入されたピリミドンが結合したアセトアニリド型カプラーが、特許文献５には炭素数７以上のアルキル基が置換したピリミドンが結合したアセトアニリド型カプラーが提案されており、色再現性、耐光性がさらに改良されている。しかし、これらの特許記載のカプラーは発色性、高温高湿下での色素の安定性の面でまだ不充分であり、更なる改良が望まれていた。また、上記のピリミドンが結合したアセトアニリド型カプラーは迅速処理を行った際に処理条件による濃度変動が大きいというな欠点を有していることが明らかとなった。
【００１２】
このように色再現性、発色性、耐光性を満足し、さらに迅速処理性に優れるハロゲン化銀写真感光材料の開発が求められていた。
【特許文献１】米国特許第５，４５５，１４９号明細書
【特許文献２】特開２００２−２９６７４０号公報
【特許文献３】特開２００２−２９６７４１号公報
【特許文献４】特開２００２−３１８４４２号公報
【特許文献５】特開２００２−３１８４４３号公報
【発明の開示】
【発明が解決しようとする課題】
【００１３】
本発明は上記事情に鑑みなされたものであり、本発明の第１の目的は、色再現性の改良されたハロゲン化銀カラー写真感光材料を提供することにある。また、本発明の第２の目的は、色素画像の光に対する堅牢性が著しく改良されたハロゲン化銀カラー写真感光材料を提供することにある。本発明の第３の目的は、発色性に優れたハロゲン化銀カラー写真感光材料を提供することにある。さらに、本発明の第４の目的は迅速処理性に優れたハロゲン化銀カラー写真感光材料を提供することにある。
【課題を解決するための手段】
【００１４】
本発明の上記目的は、下記構成により達成される。
（請求項１）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、下記一般式（１）で表されるイエローカプラー及び下記一般式〔Ｉ〕で表される化合物を含有することを特徴とするハロゲン化銀カラー写真感光材料。
【００１５】
【化１】
2005084074.tif 000002
【００１６】
〔式中、Ｒは置換基を表す。Ｘはアリール基または複素環基を表す。Ｚは−Ｎ−Ｃ＝Ｎ部と共に含窒素６員環を形成するのに必要な原子群を表す。Ｌは水素原子、又は現像主薬酸化体と反応して脱離可能な基を表す。〕
【００１７】
【化２】
2005084074.tif 000003
【００１８】
〔式中、Ｒ10およびＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
（請求項２）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔II〕で表される化合物を含有することを特徴とするハロゲン化銀カラー写真感光材料。
【００１９】
【化３】
2005084074.tif 000004
【００２０】
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23およびＲ24は各々アルキル基を表す。Ｒ25およびＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
（請求項３）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔III〕で表される化合物を含有することを特徴とするハロゲン化銀カラー写真感光材料。
【００２１】
【化４】
2005084074.tif 000005
【００２２】
〔式中、Ｒ31はアルキル基又はトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。〕
（請求項４）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔IV〕で表される化合物を含有することを特徴とするハロゲン化銀カラー写真感光材料。
【００２３】
【化５】
2005084074.tif 000006
【００２４】
〔式中、Ｒ41、Ｒ42、Ｒ43及びＲ44は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。Ｒ45はアルコキシ基、アリールチオ基、置換アルキル基を表す。〕
（請求項５）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｖ〕で表される化合物を含有することを特徴とするハロゲン化銀カラー写真感光材料。
【００２５】
【化６】
2005084074.tif 000007
【００２６】
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。ｎ５は１又は２を表す。〕
（請求項６）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｓ−Ｉ〕で表される化合物を含有することを特徴とするハロゲン化銀カラー写真感光材料。
【００２７】
【化７】
2005084074.tif 000008
【００２８】
〔式中、Ｒ61及びＲ62は各々アルキル基、シクロアルキル基、アルコキシ基またはハロゲン原子を表し、ｎ６は０〜４の整数を表し、ｎ６が２以上のとき、この２以上のＲ62は同じ基であっても異なる基であってもよく、またＲ61及びＲ62はお互いに結合して５員または６員の環を形成してもよい。〕
（請求項７）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔Ｓ−II〕で表される化合物を含有することを特徴とするハロゲン化銀カラー写真感光材料。
【００２９】
【化８】
2005084074.tif 000009
【００３０】
〔式中、Ｒ71は連結基を表す。Ｒ72は炭素原子数２０以下のアルキル基、シクロアルキル基、アルケニル基またはアルキニル基を表す。ｎ７は２以上５以下の整数を表す。〕
（請求項８）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−Ｉ〕で表される化合物を含有することを特徴とするハロゲン化銀カラー写真感光材料。
【００３１】
【化９】
2005084074.tif 000010
【００３２】
〔式中、Ｒ81、Ｒ82及びＲ83は各々脂肪族基又は芳香族基を表し、ｌ８、ｍ８及びｎ８は各々０又は１を表す。但しｌ８、ｍ８及びｎ８は同時に１であることはない。〕
（請求項９）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−II〕で表される化合物を含有することを特徴とするハロゲン化銀カラー写真感光材料。
【００３３】
【化１０】
2005084074.tif 000011
【００３４】
〔式中、Ｒ91及び92は各々水素原子、アルキル基、シクロアルキル基、アルケニル基、シクロアルケニル基、アルキニル基、アリール基、複素環基、アルコキシ基、アリールオキシ基、複素環オキシ基、又は
【００３５】
【化１１】
2005084074.tif 000012
【００３６】
を表す。ここでＲ93及びＲ94は各々水素原子、アルキル基又はアリール基を表す。Ｒ91とＲ92は同じであっても異なっていてもよい。〕
（請求項１０）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−III〕で表される化合物を含有することを特徴とするハロゲン化銀カラー写真感光材料。
【００３７】
【化１２】
2005084074.tif 000013
【００３８】
〔式中、Ｊ3は２価の有機基を表し、Ｙはアルキル基、シクロアルキル基、アリール基、アルケニル基、アルキニル基、シクロアルケニル基、複素環基を表す。〕
（請求項１１）
支持体上に少なくとも一層の青感性ハロゲン化銀乳剤層、緑感性ハロゲン化銀乳剤層及び赤感性ハロゲン化銀乳剤層を含む写真構成層を有するハロゲン化銀カラー写真感光材料において、該青感性ハロゲン化銀乳剤層の少なくとも一層に、前記一般式（１）で表されるイエローカプラー及び下記一般式〔ＳＴ−IV〕で表される化合物を含有することを特徴とするハロゲン化銀カラー写真感光材料。
【００３９】
【化１３】
2005084074.tif 000014
【００４０】
〔式中、Ｒ111及びＲ112は各々脂肪族基又は−ＣＯＲ113（Ｒ113は脂肪族基を表す。）を表し、Ｊ11は２価の有機基又は単なる結合手を表し、ｎ１０は０〜６の整数を表す。〕
【発明の効果】
【００４１】
本発明により、色再現性の改良されたハロゲン化銀カラー写真感光材料を提供でき、また、色素画像の光に対する堅牢性が著しく改良されたハロゲン化銀カラー写真感光材料を提供できる。さらに、発色性に優れ、かつ迅速処理性が著しく向上したハロゲン化銀カラー写真感光材料を提供できる。
【発明を実施するための最良の形態】
【００４２】
以下、本発明を実施するための最良の形態について詳細に説明するが、本発明はこれにより限定されるものではない。
【００４３】
本発明に係わる一般式（１）で表されるイエローカプラー（以下、本発明のイエローカプラーともいう）について説明する。
【００４４】
前記一般式（１）において、Ｒは置換基を表す。Ｒで表される置換基としては、アルキル基（例えば、メチル基、エチル基、プロピル基、イソプロピル基、（ｔ）ブチル基、ペンチル基、シクロペンチル基、ヘキシル基、シクロヘキシル基、オクチル基、ドデシル基等）、アルケニル基（例えば、ビニル基、アリル基等）、アルキニル基（例えば、プロパルギル基等）、アリール基（例えば、フェニル基、ナフチル基等）、ヘテロ環基（例えば、ピリジル基、チアゾリル基、オキサゾリル基、イミダゾリル基、フリル基、ピロリル基、ピラジニル基、ピリミジニル基、ピリダジニル基、セレナゾリル基、スルホラニル基、ピペリジニル基、ピラゾリル基、テトラゾリル基等）、ハロゲン原子（例えば、塩素原子、臭素原子、ヨウ素原子、フッ素原子等）、アルコキシ基（例えば、メトキシ基、エトキシ基、プロピルオキシ基、ペンチルオキシ基、シクロペンチルオキシ基、ヘキシルオキシ基、シクロヘキシルオキシ基、オクチルオキシ基、ドデシルオキシ基等）、アリールオキシ基（例えば、フェノキシ基、ナフチルオキシ基等）、ヘテロ環オキシ基（例えば、ピリジルオキシ基、トリアジニルオキシ基、テトラヒドロピラニルオキシ基等）、アルコキシカルボニル基（例えば、メチルオキシカルボニル基、エチルオキシカルボニル基、ブチルオキシカルボニル基、オクチルオキシカルボニル基、ドデシルオキシカルボニル基等）、アリールオキシカルボニル基（例えば、フェニルオキシカルボニル基、ナフチルオキシカルボニル基等）、スルホンアミド基（例えば、メチルスルホニルアミノ基、エチルスルホニルアミノ基、ブチルスルホニルアミノ基、ヘキシルスルホニルアミノ基、シクロヘキシルスルホニルアミノ基、オクチルスルホニルアミノ基、ドデシルスルホニルアミノ基、フェニルスルホニルアミノ基等）、スルファモイル基（例えば、アミノスルホニル基、メチルアミノスルホニル基、ジメチルアミノスルホニル基、ブチルアミノスルホニル基、ヘキシルアミノスルホニル基、シクロヘキシルアミノスルホニル基、オクチルアミノスルホニル基、ドデシルアミノスルホニル基、フェニルアミノスルホニル基、ナフチルアミノスルホニル基、２−ピリジルアミノスルホニル基等）、ウレイド基（例えば、メチルウレイド基、エチルウレイド基、ペンチルウレイド基、シクロヘキシルウレイド基、オクチルウレイド基、ドデシルウレイド基、フェニルウレイド基、ナフチルウレイド基、２−ピリジルアミノウレイド基等）、アシル基（例えば、アセチル基、エチルカルボニル基、プロピルカルボニル基、ペンチルカルボニル基、シクロヘキシルカルボニル基、オクチルカルボニル基、２−エチルヘキシルカルボニル基、ドデシルカルボニル基、フェニルカルボニル基、ナフチルカルボニル基、ピリジルカルボニル基等）、アシルオキシ基（例えば、アセチルオキシ基、エチルカルボニルオキシ基、ブチルカルボニルオキシ基、オクチルカルボニルオキシ基、ドデシルカルボニルオキシ基、フェニルカルボニルオキシ基等）、カルバモイル基（例えば、アミノカルボニル基、メチルアミノカルボニル基、ジメチルアミノカルボニル基、プロピルアミノカルボニル基、ペンチルアミノカルボニル基、シクロヘキシルアミノカルボニル基、オクチルアミノカルボニル基、２−エチルヘキシルアミノカルボニル基、ドデシルアミノカルボニル基、フェニルアミノカルボニル基、ナフチルアミノカルボニル基、２−ピリジルアミノカルボニル基等）、アシルアミノ基（例えば、メチルカルボニルアミノ基、エチルカルボニルアミノ基、ジメチルカルボニルアミノ基、プロピルカルボニルアミノ基、ペンチルカルボニルアミノ基、シクロヘキシルカルボニルアミノ基、２−エチルヘキシルカルボニルアミノ基、オクチルカルボニルアミノ基、ドデシルカルボニルアミノ基、フェニルカルボニルアミノ基、ナフチルカルボニルアミノ基等）、アルキルスルホニル基またはアリールスルホニル基（例えば、メチルスルホニル基、エチルスルホニル基、ブチルスルホニル基、シクロヘキシルスルホニル基、２−エチルヘキシルスルホニル基、ドデシルスルホニル基、フェニルスルホニル基、ナフチルスルホニル基、２−ピリジルスルホニル基等）、アミノ基（例えば、アミノ基、エチルアミノ基、ジメチルアミノ基、ブチルアミノ基、シクロペンチルアミノ基、２−エチルヘキシルアミノ基、ドデシルアミノ基、アニリノ基、ナフチルアミノ基、２−ピリジルアミノ基等）、シアノ基、ニトロ基、スルホ基、カルボキシル基、ヒドロキシル基等が挙げられ、これらの基は、更に上記の置換基によって置換されていてもよい。
【００４５】
Ｒとして好ましくはアルキル基であり、より好ましくは炭素数１〜６のアルキル基である。
一般式（１）においてＺは−Ｎ−Ｃ＝Ｎ−部と共に含窒素６員ヘテロ環を形成する残基を表す。この含窒素へテロ環は置換もしくは無置換のヘテロ環であり、より好ましくは、環構成原子が炭素原子、窒素原子からなり、かつ窒素原子を２個から４個有するヘテロ環基であり、更に好ましくは、炭素数２〜３０の、窒素原子を２個有する含窒素６員ヘテロ環である。Ｚが−Ｎ−Ｃ＝Ｎ−部と共に形成する含窒素６員環の例としては４−ピリミドン、１，３−ジアジン−４，６−ジオン、１，３，５−トリアジン−２−オン、１，２，４−トリアジン−５−オン等が挙げられるＺが−Ｎ−Ｃ＝Ｎ−部と共に形成する含窒素６員環は置換基を有していてもよく、この置換基の例としては、前述のＲが有していてもよい置換基として挙げた例が挙げられる。また、互いに隣接する置換基が結合して環を形成してもよく、好ましくは５員〜７員の飽和または不飽和環であり、該環は脂環、芳香環、ヘテロ環であってもよく、例えば、ベンゼン環、フラン環、チオフェン環、シクロペンタン環、シクロヘキサン環が挙げられる。
【００４６】
これらの各置換基や複数の置換基が互いに結合して形成した環は、更に置換基（前述のＲとして例示した基が挙げられる）で置換されてもよい。また、置換基の炭素数の総和は２〜５０が好ましく、より好ましくは８〜４５、更に好ましくは１５〜４０が好ましい。これらの置換基のうち、好ましいものは、アルキル基、アルケニル基、アリール基、ヘテロ環基、ハロゲン原子、アルコキシ基、アリールオキシ基、アルキルチオ基、アリールチオ基、シアノ基、アシルアミノ基、アルキル及びアリールスルホニルアミノ基、アルコキシカルボニル基、カルバモイル基、スルファモイル基、アルキルアミノ基またはアリールアミノ基である。
【００４７】
好ましくはＺは４−ピリミドン環を形成する残基である。さらに好ましくはＺは−Ｃ（−Ｒ2）＝Ｃ（−Ｒ3）−ＣＯ−で表される。Ｒ2、Ｒ3は互いに結合して−Ｃ＝Ｃ−とともに５〜７員環を形成する基、もしくはそれぞれ独立に水素原子または置換基を表す。Ｒ2、Ｒ3が互いに結合して−Ｃ＝Ｃ−とともに形成する環としては、好ましくは５〜７員の脂環、芳香環、もしくはヘテロ環で、例えば、ベンゼン環、ピラゾール環、フラン環、チオフェン環、シクロペンテン環、シクロヘキセン環が挙げられる。より好ましくは、該環は６員の芳香環であり、最も好ましくはベンゼン環である。Ｒ2、Ｒ3が置換基を表す時、これらは同じであっても異なっていてもよく、置換基の例としては前述のＲの例として挙げたものが挙げられる。
【００４８】
一般式（１）においてＸはアリール基または複素環を表す。アリール基としては好ましくは炭素数６〜３０の置換もしくは無置換のアリール基で、例えばフェニル、ナフチルが挙げられる。複素環基としては好ましくは環構成原子に少なくとも一つの窒素原子、酸素原子、イオウ原子を含む複素環基であり、さらに好ましくは、Ｘが結合している炭素原子と炭素原子で結合する複素環基である。環員数の点では、５員もしくは６員の複素環基が好ましく、更に好ましくは少なくとも一つの窒素原子を環構成原子として有する芳香族複素環基である。具体的には、イミダゾリル、ナフトイミダゾリル、ピラゾリル、ピロール、チオフェン、チアゾリル、オキサゾリル、フラン、チアジアゾリル、ピリダジニル、トリアゾリル、テトラゾリル、ピリジル、ピリミジニルが挙げられる。Ｘの複素環基は、置換基を有しても良く更にベンゼン環若しくは、ヘテロ環で縮環しても良い。置換基を有する時、置換基としては、前述Ｒとして列挙した置換基が挙げられる。好ましい複素環は、イミダゾリル、ピラゾール−２−イル、１，２，４−トリアゾール−３−イル、ベンズイミダゾリル、ナフトイミダゾリル、ベンズオキサゾール−２−イル、ピロール−２−イルであり、特に好ましくはイミダゾリル、ピラゾール−２−イル、１，２，４−トリアゾール−３−イル、ベンズイミダゾリル、ナフトイミダゾリルである。Ｘは置換基を有していてもよく、置換基の例としては前述のＲが有してもよい置換基の例として挙げたものが挙げられる。Ｘが有する置換基の好ましい例としては、アルキル基、アルケニル基、アリール基、ヘテロ環基、ハロゲン原子、アルコキシ基、アリールオキシ基、アルキルチオ基、アリールチオ基、シアノ基、アシルアミノ基、アルキル及びアリールスルホニルアミノ基、アルコキシカルボニル基、カルバモイル基、スルファモイル基、アルキルアミノ基またはアリールアミノ基である。
【００４９】
本発明のカプラーにおいてＸはアリール基が好ましく、アリール基上のアミド部が結合した位置の隣接位にハロゲン原子（例えば、フッ素原子、塩素原子）、アルキル基（例えばメチル基）、アルコキシ基（例えばメトキシ基、イソプロピルオキシ基、ドデシルオキシ基）、アリールオキシ基（例えばフェノキシ基）を有することが好ましい。より好ましくはハロゲン原子、アルコキシ基を有することが好ましく、さらに好ましくはアルコキシ基を有することが好ましい。本発明のカプラーにおいてＸはフェニル基がより好ましく、フェニル基のアミド部に結合する位置を１位として、少なくとも２位に前記の置換基を有するものが好ましく、２及び５位に前記の置換基を有するものがより好ましい。
【００５０】
一般式（１）においてＬは水素原子または現像主薬酸化体とのカップリング反応により離脱可能な基を表す。Ｌの例としては窒素原子で離脱する基、酸素原子で離脱する基、イオウ原子で離脱する基、ハロゲン原子（例えば塩素原子、臭素原子）などが挙げられる。窒素原子で離脱する基としては、ヘテロ環基（好ましくは５〜７員の置換もしくは無置換、飽和もしくは不飽和、芳香族（本願では４ｎ＋２個の環状共役電子を有するものを意味する）もしくは非芳香族、単環もしくは縮合環のヘテロ環基であり、より好ましくは、環構成原子が炭素原子、窒素原子および硫黄原子から選択され、かつ窒素原子、酸素原子および硫黄原子のいずれかのヘテロ原子を少なくとも一個有する５もしくは６員のヘテロ環基であり、例えばスクシンイミド、マレイミド、フタルイミド、ジグリコールイミド、ピロール、ピラゾール、イミダゾール、１，２，４−トリアゾール、テトラゾール、インドール、ベンゾピラゾール、ベンツイミダゾール、ベンゾトリアゾール、イミダゾリン−２，４−ジオン、オキサゾリジン−２，４−ジオン、チアゾリジン−２−オン、ベンツイミダゾリン−２−オン、ベンゾオキサゾリン−２−オン、ベンゾチアゾリン−２−オン、２−ピロリン−５−オン、２−イミダゾリン−５−オン、インドリン−２，３−ジオン、２，６−ジオキシプリンパラバン酸、１，２，４−トリアゾリジン−３，５−ジオン、２−ピリドン、４−ピリドン、２−ピリミドン、６−ピリダゾン、２−ピラゾン、２−アミノ−１，３，４−チアゾリジン−４−オン）、カルボナミド基（例えばアセタミド、トリフルオロアセタミド）、スルホンアミド基（例えばメタンスルホンアミド、ベンゼンスルホンアミド）、アリールアゾ基（例えばフェニルアゾ、ナフチルアゾ）、カルバモイルアミノ基（例えばＮ−メチルカルバモイルアゾ）などが挙げられる。
【００５１】
窒素原子で離脱する基のうち、好ましいものはヘテロ環基であり、さらに好ましいものは、環構成原子として窒素原子を１、２または４個有する芳香族ヘテロ環基、または下記一般式（Ｌ１）で表されるヘテロ環基である。更に好ましくは一般式（Ｌ１）で表されるヘテロ環基である。
【００５２】
【化１４】
2005084074.tif 000015
【００５３】
式中、Ｚ１は−Ｎ−Ｃ（＝Ｏ）−と共に５〜６員環の含窒素ヘテロ環を形成する残基を表す。これらの例示は上記ヘテロ環基の説明の中で挙げており、これらが更に好ましい。なかでも、Ｚ１としては５員環の含窒素ヘテロ環を形成する残基が好ましい。
【００５４】
一般式（１）においてＬで表される基のうち、酸素原子で離脱する基としては、アリールオキシ基（例えばフェノキシ、１−ナフトキシ）、ヘテロ環オキシ基（例えばピリジルオキシ、ピラゾリルオキシ）、アシルオキシ基（例えばアセトキシ、ベンゾイルオキシ）、アルコキシ基（例えばメトキシ、ドデシルオキシ）、カルバモイルオキシ基（例えばＮ，Ｎ−ジエチルカルバモイルオキシ、モルホリノカルバモイルオキシ）、アリールオキシカルボニルオキシ基（例えばフェノキシカルボニルオキシ）、アルコキシカルボニルオキシ基（例えばメトキシカルボニルオキシ、エトキシカルボニルオキシ）、アルキルスルホニルオキシ基（例えばメタンスルホニルオキシ）、アリールスルホニルオキシ基（例えばベンゼンスルホニルオキシ、トルエンスルホニルオキシ）などが挙げられる。酸素原子で離脱する基のうち、好ましいものはアリールオキシ基、アシルオキシ基、ヘテロ環オキシ基である。
【００５５】
イオウ原子で離脱する基としては、アリールチオ基（例えばフェニルチオ、ナフチルチオ）、ヘテロ環チオ基（例えばテトラゾリルチオ、１，３，４−チアジアゾリルチオ、１，３，４−オキサゾリルチオ、ベンツイミダゾリルチオ）、アルキルチオ基（例えばメチルチオ、オクチルチオ、ヘキサデシルチオ）、アルキルスルフィニル基（例えばメタンスルフィニル）、アリールスルフィニル基（例えばベンゼンスルフィニル）、アリールスルホニル基（例えばベンゼンスルホニル）、アルキルスルホニル基（例えばメタンスルホニル）などが挙げられる。イオウ原子で離脱する基のうち、好ましいものはアリールチオ基、ヘテロ環チオ基であり、ヘテロ環チオ基がより好ましい。
【００５６】
一般式（１）においてＬで表される現像主薬酸化体とのカップリング反応により離脱可能な基は、置換基により置換されていてもよく、Ｌを置換する置換基の例としては前述のＲの置換基の例として挙げたものが挙げられる。Ｌは、好ましくは窒素原子で離脱する基、酸素原子で離脱する基、イオウ原子で離脱する基であり、より好ましくは窒素原子で離脱する基であり、更に好ましくは、窒素原子で離脱する基で述べた好ましい基の順に好ましい。Ｌにおいて好ましい基を更に説明すると、環構成原子として窒素原子を１、２または４個有する芳香族ヘテロ環基、または前記一般式（Ｌ１）で表されるヘテロ環基（特に好ましくは前記一般式（Ｌ１）で表されるヘテロ環基）、酸素原子で離脱する基（特に好ましくはアリールオキシ基、アシルオキシ基、ヘテロ環オキシ基）、イオウ原子で離脱する基（好ましくはアリールチオ基、ヘテロ環チオ基であり、特に好ましくはヘテロ環チオ基）である。
【００５７】
以下に、本発明の一般式（１）で表されるイエローカプラーの具体的な化合物例を示すが、本発明のイエローカプラーはこれらに限定されない。
【００５８】
【化１５】
2005084074.tif 000016
【００５９】
【化１６】
2005084074.tif 000017
【００６０】
【化１７】
2005084074.tif 000018
【００６１】
【化１８】
2005084074.tif 000019
【００６２】
【化１９】
2005084074.tif 000020
【００６３】
【化２０】
2005084074.tif 000021
【００６４】
【化２１】
2005084074.tif 000022
【００６５】
【化２２】
2005084074.tif 000023
【００６６】
【化２３】
2005084074.tif 000024
【００６７】
【化２４】
2005084074.tif 000025
【００６８】
【化２５】
2005084074.tif 000026
【００６９】
【化２６】
2005084074.tif 000027
【００７０】
【化２７】
2005084074.tif 000028
【００７１】
【化２８】
2005084074.tif 000029
【００７２】
【化２９】
2005084074.tif 000030
【００７３】
【化３０】
2005084074.tif 000031
【００７４】
【化３１】
2005084074.tif 000032
【００７５】
【化３２】
2005084074.tif 000033
【００７６】
【化３３】
2005084074.tif 000034
【００７７】
【化３４】
2005084074.tif 000035
【００７８】
【化３５】
2005084074.tif 000036
【００７９】
【化３６】
2005084074.tif 000037
【００８０】
以下に、本発明の一般式（１）で表されるイエローカプラーの代表的な合成ルートを示す。
【００８１】
例示化合物１−４９の合成
【００８２】
【化３７】
2005084074.tif 000038
【００８３】
（中間体３の合成）
１４９ｇの中間体１と３０２ｇの中間体２を７５０ｍｌのエタノールに溶解し、ｐ−トルエンスルホン酸７１ｇを加え、加熱還流を６時間行った。ＴＬＣ（薄層クロマトグラフィー）で原料の中間体１が消失しているのを確認した後、エタノールを減圧下で留去し、水にあけ、酢酸エチルで抽出した。酢酸エチル相を水洗し、減圧下で濃縮して得られる淡黄色オイルをヘキサンで再結晶し、中間体３を１９９ｇ得た（収率８９％）。核磁気共鳴スペクトル、マススペクトルで構造を確認した。
【００８４】
（中間体５の合成）
９３ｇの中間体３と１００ｇの中間体４をキシレン８００ｍｌに溶解し常圧で加熱しながらキシレンを留去した。反応液を放冷したのち、アセトニトリル３５０ｍｌをくわえ、析出する固体をろ取、乾燥し、中間体５を１６２ｇ得た（収率９１％）。核磁気共鳴スペクトル、マススペクトルで構造を確認した。
【００８５】
（中間体６の合成）
１５０ｇの中間体５を塩化メチレン６００ｍｌに溶解し、氷冷下で塩化スルフリル４０ｇを１時間かけて滴下した。滴下終了後、氷冷下でさらに１時間攪拌した後、室温で１時間攪拌した。塩化メチレンを減圧下で留去し、水にあけ、酢酸エチルで抽出した。酢酸エチル相を水洗し、減圧下で濃縮し、淡黄色オイルを１６０ｇ得た。精製は行わず次工程にもちいた。
【００８６】
（例示化合物１−４９の合成）
上記ごとく調製した中間体６の粗生成物８０ｇをアセトン２４０ｍｌに溶解し，炭酸カリウム２７ｇ加え、Ｎ−ベンジル−エトキシヒダントイン４４ｇを加え，加熱還流を５時間行った。アセトンを減圧下で留去し、水にあけ、酢酸エチルで抽出した。酢酸エチル相を水洗し、減圧下で濃縮し得られる残渣をアセトニトリルで再結晶し例示化合物１−４９を９２ｇ得た。収率は８８％であった。核磁気共鳴スペクトル、マススペクトルで構造を確認した。
【００８７】
例示化合物１−４の合成
【００８８】
【化３８】
2005084074.tif 000039
【００８９】
（中間体８の合成）
２．８ｇの中間体３と３．４ｇの中間体７を中間体をキシレン２０ｍｌに溶解し常圧で加熱しながらキシレンを留去した。反応液を放冷したのち、アセトニトリル３０ｍｌを加え、析出する固体をろ取、乾燥し、中間体８を５．１ｇ得た（収率８８％）。核磁気共鳴スペクトル、マススペクトルで構造を確認した。
【００９０】
（例示化合物１−４の合成）
５．１ｇの中間体８を塩化メチレン２５ｍｌに溶解し、氷冷下で塩化スルフリル１．３ｇを滴下した。滴下終了後室温で２時間攪拌した後、反応液に炭酸水素ナトリウム水溶液を加え中和した。攪拌し静置したのち有機相と水層を除去し、塩化メチレンを留去し、残渣をアセトン２０ｍｌに溶解し、炭酸カリウム１．２１ｇ、ピラゾール０．６５ｇを加え加熱還流を５時間行った。反応液を室温まで冷却し、水に開け、酢酸エチルで抽出した。有機相を水洗、減圧濃縮し、えられる残渣をアセトニトリルで再結晶し、例示化合物１−４を４．７ｇ得た（収率８３％）。核磁気共鳴スペクトル、マススペクトルで構造を確認した。
【００９１】
次に、一般式〔Ｉ〕で表される化合物について説明する。
【００９２】
一般式〔Ｉ〕においてＲ10およびＲ11で表されるアルキル基として、好ましくは炭素原子数１〜１２個のアルキル基であり、更に好ましくは炭素原子数３〜８個のα位が分岐のアルキル基であり、特に好ましくはｔ−ブチル基、またはｔ−ペンチル基である。
【００９３】
Ｒ12で表されるアルキル基は、直鎖でも分岐のものでもよく、例えばメチル基、エチル基、プロピル基、ブチル基、オクチル基、オクタデシル基等である。このアルキル基が置換基を有する場合、置換基としては、例えばハロゲン原子、ヒドロキシル基、ニトロ基、シアノ基、アリール基、アミノ基、アルコキシカルボニル基、アリールオキシカルボニル基、カルバモイル基、複素環基等が挙げられる。
【００９４】
Ｒ12で表される−ＮＨＲ13、−ＳＲ13（Ｒ13は一価の有機基を表す。）または−ＣＯＯＲ14（Ｒ14は水素原子または一価の有機基を表す。）における、Ｒ13およびＲ14で表される一価の置換基としては、例えばアルキル基、アリール基、シクロアルキル基、複素環基等が挙げられる。これらの有機基が置換基を有する場合、この置換基としては、例えばハロゲン原子、ヒドロキシル基、ニトロ基、シアノ基、アミノ基、アルキル基、アリール基、アルケニル基、アシルオキシ基などが挙げられる。
【００９５】
本発明において一般式〔Ｉ〕で表される化合物の中で好ましいのは下記の一般式〔Ｉ′〕で表される化合物である。
【００９６】
【化３９】
2005084074.tif 000040
【００９７】
式中、Ｒ15およびＲ16は、各々、炭素原子数３〜８個の直鎖または分岐のアルキル基を表し、特にｔ−ブチル基、ｔ−ペンチル基等が好ましい。Ｒｋはｋ価の有機基を表す。ｋは１〜６の整数を表す。
【００９８】
Ｒｋで表されるｋ価の有機基としては、例えばアルキル基、アルケニル基、多価不飽和炭化水素基（エチレン、トリメチレン、プロピレン、ヘキサメチレン、２−クロロトリメチレン、プロパン−トリ−イル基、ネオペンタン−テトラ−イル基等）、脂環式炭化水素基（シクロプロピル、シクロヘキシル、シクロヘキセニル基等）、アリール基（フェニル基等）、アリーレン基（１，２−、１，３−または１，４−フェニレン基、３，５−ジメチル−１，４−フェニレン基、２−ｔ−ブチル−１，４−フェニレン基、２−クロロ−１，４−フェニレン基、ナフチレン基等）、１，３，５−三置換ベンゼン基が挙げられる。
【００９９】
Ｒｋは、更に上記の基以外に、上記基のうち任意の基を−Ｏ−、−Ｓ−、−ＳＯ2−基を介して結合したｋ価の有機基を包含する。
【０１００】
Ｒｋは、更に好ましくは、２，４−ジ−ｔ−ブチルフェニル基、２，４−ジ−ｔ−ペンチルフェニル基、ｐ−オクチルフェニル基、ｐ−ドデシルフェニル基、３，５−ジ−ｔ−ブチル−４−ヒドロキシフェニル基、３，５−ジ−ｔ−ペンチル−４−ヒドロキシフェニル基である。
【０１０１】
ｋは好ましくは、１〜４の整数である。
【０１０２】
以下に一般式〔Ｉ〕で表される具体的化合物を挙げるが、本発明はこれらに限定されない。
【０１０３】
【化４０】
2005084074.tif 000041
【０１０４】
【化４１】
2005084074.tif 000042
【０１０５】
次に、前記一般式〔II〕で表される化合物について説明する。
【０１０６】
一般式〔II〕においてＲ21で表されるアルキル基として好ましくは炭素原子数１〜１２個のアルキル基であり、アルケニル基およびアルキニル基の好ましくは炭素原子数２〜４個のアルケニル基およびアルキニル基であり、Ｒ21の好ましい基としては、水素原子、アルキル基、アルケニル基、アルキニル基および−ＣＯＲ28である。Ｒ28で表される一価の有機基は、例えばアルキル基、アルケニル基、アルキニル基、アリール基等である。
【０１０７】
Ｒ22、Ｒ23およびＲ24で表されるアルキル基として、好ましくは、炭素原子数１〜５個の直鎖または分岐のアルキル基であり、特に好ましくはメチル基である。
【０１０８】
Ｒ25およびＲ26において、Ｒ29で表される１価の有機基は、例えばアルキル基、アルケニル基、アルキニル基、アリール基、アルキルアミノ基、アリールアミノ基等である。Ｒ23およびＲ24が共同して形成する複素環としては、例えば、
【０１０９】
【化４２】
2005084074.tif 000043
【０１１０】
などが挙げられる。ここにおいて、Ｒａは水素原子、アルキル基、シクロアルキル基またはフェニル基を表す。
【０１１１】
本発明において一般式〔II〕で表される化合物の中で好ましいものは下記一般式〔II′〕で表されるものである。
【０１１２】
【化４３】
2005084074.tif 000044
【０１１３】
式中、Ｒｂはアルキル基、アルケニル基、アルキニル基またはアシル基を表す。
【０１１４】
Ｒｂの更に好ましい基としては、メチル基、エチル基、ビニル基、アリル基、プロピニル基、ベンジル基、アセチル基、プロピオニル基、アクリロイル基、メタクリロイル基、クロトノイル基である。
【０１１５】
以下に一般式〔II〕で表される具体的化合物を挙げるが、本発明はこれらに限定されない。
【０１１６】
【化４４】
2005084074.tif 000045
【０１１７】
【化４５】
2005084074.tif 000046
【０１１８】
次に、前記一般式〔III〕で表される化合物について説明する。
【０１１９】
一般式〔III〕において、Ｒ31はアルキル基又はトリアルキルシリル基を表すが、一般式〔III〕において、Ｒ31の例としては、アルキル基（例えば、メチル、エチル、オクチル、ラウリル等）又はトリアルキルシリル基（例えば、ジメチルプロピルシリル基等）が挙げられる。
【０１２０】
一般式〔III〕において、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。一般式〔III〕において、Ｒ32、Ｒ33、Ｒ34、Ｒ35及びＲ36の例としては各々、水素原子、アルキル基（例えば、メチル、エチル、オクチル、ラウリル等）、アルコキシ基（例えば、メトキシ、エトキシ、ブチルオキシ、オクチルオキシ等）、アリール基（例えば、フェニル、ナフチル等）、アリールオキシ基（例えば、フェノキシ、ナフトキシ等）、アルケニル基（例えば、オクテニル等）、アルケニルオキシ基（例えば、オクテニルオキシ等）、アシルアミノ基（例えば、アセチルアミノ、パルミトイルアミノ、ベンゾイルアミノ等）、ハロゲン原子（例えば、塩素、臭素等）、アルキルチオ基（例えば、オクチルチオ、ラウリルチオ等）、アリールチオ基（例えば、フェニルチオ）、アルコキシカルボニル基（例えば、メトキシカルボニル、エトキシカルボニル、ヘキサデシルオキシカルボニル等）、アシルオキシ基（例えば、アセチルオキシ、ベンゾイルオキシ等）、アシル基（例えば、アセチル、バレリル、ステアロイル、ベンゾイル等）、スルホンアミド基（例えば、オクチルスルホンアミド、ラウリルスルホンアミド等）トリアルキルシリルオキシ基（例えば、ジメチルプロピルシリルオキシ等）が挙げられる。一般式〔III〕において、Ｒ33、Ｒ35はアルコキシ基でないことが好ましい。
【０１２１】
一般式〔III〕において好ましい化合物は次の一般式〔IIIＡ〕で表される。
【０１２２】
【化４６】
2005084074.tif 000047
【０１２３】
式中、Ｒ37、Ｒ38、Ｒ39、Ｒ40はアルキル基を表す。最も好ましくはＲ37、Ｒ38がいずれも炭素数５以下である一般式〔IIIＡ〕の化合物である。
【０１２４】
次に、前記一般式〔IV〕で表される化合物について説明する。
【０１２５】
一般式〔IV〕において、Ｒ41、Ｒ42、Ｒ43及びＲ44は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基又はスルホンアミド基を表す。一般式〔IV〕において、Ｒ41、Ｒ42、Ｒ43及びＲ44の例としては各々、水素原子、アルキル基（例えば、メチル、エチル、オクチル、ラウリル等）、アルコキシ基（例えば、メトキシ、エトキシ、ブチルオキシ、オクチルオキシ等）、アリール基（例えば、フェニル、ナフチル等）、アリールオキシ基（例えば、フェノキシ、ナフトキシ等）、アルケニル基（例えば、オクテニル等）、アルケニルオキシ基（例えば、オクテニルオキシ等）、アシルアミノ基（例えば、アセチルアミノ、パルミトイルアミノ、ベンゾイルアミノ等）、ハロゲン原子（例えば、塩素、臭素等）、アルキルチオ基（例えば、オクチルチオ、ラウリルチオ等）、アリールチオ基（例えば、フェニルチオ）、アルコキシカルボニル基（例えば、メトキシカルボニル、エトキシカルボニル、ヘキサデシルオキシカルボニル等）、アシルオキシ基（例えば、アセチルオキシ、ベンゾイルオキシ等）、アシル基（例えば、アセチル、バレリル、ステアロイル、ベンゾイル等）、スルホンアミド基（例えば、オクチルスルホンアミド、ラウリルスルホンアミド等）トリアルキルシリルオキシ基（例えば、ジメチルプロピルシリルオキシ等）が挙げられる。一般式〔IV〕において、Ｒ45はアルコキシ基、アリールチオ基、置換アルキル基を表す。一般式〔IV〕において、Ｒ45の例としては、アルコキシ基、アリールチオ基、前述のＲに挙げられた置換基で置換された置換アルキル基と同様の基が挙げられる。
【０１２６】
一般式〔IV〕において好ましい化合物は下記一般式〔IVＡ〕で表され、
【０１２７】
【化４７】
2005084074.tif 000048
【０１２８】
式中、Ｒ46、Ｒ47はアルキル基を表す。Ｒ48は置換アルキル基を表す。
【０１２９】
更に好ましい化合物は下記一般式〔IVＢ〕で表され、
【０１３０】
【化４８】
2005084074.tif 000049
【０１３１】
式中、Ｒ49、Ｒ50、Ｒ51、Ｒ52はアルキル基を表し、Ｊは分岐鎖を有してもよいアルキレン基を表す。
【０１３２】
以下に、一般式〔III〕及び〔IV〕で表される化合物の代表的具体例を示すが、本発明はこれらに限定されるものではない。
【０１３３】
【化４９】
2005084074.tif 000050
【０１３４】
【化５０】
2005084074.tif 000051
【０１３５】
次に、前記一般式〔Ｖ〕で表される化合物について説明する。
【０１３６】
一般式〔Ｖ〕において、Ｒ53で表されるアリール基としては例えば、フェニル基、１−ナフチル基等が挙げられ、これらのアリール基には置換基を有しても良い。
【０１３７】
Ｒ53で表される複素環基としては、例えば２−フリル基、２−チエニル基等が挙げられる。
【０１３８】
Ｚ54及びＺ55はそれぞれ炭素数１〜３のアルキレン基を表すが、Ｚ54及びＺ55で表されるアルキレン基の総和は３〜６である。ｎ５は１又は２を表す。
【０１３９】
本発明においては、前記一般式〔Ｖ〕においてＲ53がフェニル基、Ｚ54及びＺ55がそれぞれエチレン基、ｎ５が２で表される化合物が特に好ましい。
【０１４０】
以下、一般式〔Ｖ〕で表される色素画像安定化剤の具体例を示すが本発明はこれらに限定されない。
【０１４１】
【化５１】
2005084074.tif 000052
【０１４２】
【化５２】
2005084074.tif 000053
【０１４３】
次に、本発明の一般式〔Ｓ−Ｉ〕及び〔Ｓ−II〕で表される化合物（高沸点有機溶媒）について詳細に説明する。
【０１４４】
まず本発明の一般式〔Ｓ−Ｉ〕で表される高沸点有機溶媒について説明する。
【０１４５】
一般式〔Ｓ−Ｉ〕において、Ｒ61及びＲ62で表されるアルキル基、シクロアルキル基は、炭素原子数１から２０までのアルキル基、シクロアルキル基が好ましい。その具体例としては、例えばメチル基、エチル基、ブチル基、ドデシル基、アイコシル基、ｉ−プロピル基、ｔ−ブチル基、ｔ−ペンチル基、ｉ−ブチル基、１，１−ジメチルブチル基、１，１，３，３−テトラメチルブチル基、２−エチルヘキシル基、シクロプロピル基、シクロヘキシル基、４−メチルシクロヘキシル基が挙げられる。
【０１４６】
また、Ｒ61及びＲ62で表されるアルコキシ基は、炭素原子数１から２０までのアルコキシ基が好ましい。その具体例としては、例えばメトキシ基、エトキシ基、ブトキシ基、ドデシルオキシ基、アイコシルオキシ基、ｉ−プロポキシ基、ｔ−ブトキシ基、ｔ−ペンチルオキシ基、ｉ−ブトキシ基、１，１−ジメチルブトキシ基、２−エチルヘキシルオキシ基、シクロプロピルオキシ基、シクロヘキシルオキシ基が挙げられる。
【０１４７】
上記のアルキル基、シクロアルキル基及びアルコキシ基は、更に置換基（例えば、塩素原子、ヒドロキシ基、アルコキシカルボニル基、アシル基、アシルアミノ基）を有していてもよい。一般式〔Ｓ−Ｉ〕で表される高沸点有機溶媒のうち、好ましいのは、下記一般式〔Ｓ−ＩＡ〕でされる化合物である。
【０１４８】
【化５３】
2005084074.tif 000054
【０１４９】
一般式〔Ｓ−ＩＡ〕において、Ｒ61は一般式〔Ｓ−Ｉ〕におけるＲ61と同義であり、Ｒ62は水素原子または一般式〔Ｓ−Ｉ〕におけるＲ62と同義である。Ｒ63は一般式〔Ｓ−Ｉ〕におけるＲ62と同義であり、ｌ６は１〜３の整数を表す。Ｒ63は２個以上あるときは同じでも異なっていてもよく、また、Ｒ62と同じでも異なっていてもよい。
【０１５０】
一般式〔Ｓ−ＩＡ〕において、より好ましいのは、Ｒ62が水素原子、アルキル基またはハロゲン原子（例えば塩素原子、臭素原子）である場合である。
【０１５１】
Ｒ61、Ｒ62及びＲ63は、化合物の耐拡散性、溶解性及び発色色素の極大吸収波長をシフトする効果によって選択されるが、それらの炭素原子数の総和は５０以下であり、３２以下であることが好ましい。
【０１５２】
以下に、本発明の一般式〔Ｓ−Ｉ〕で表される高沸点有機溶媒の具体例を示すが、本発明はこれらに限定されるものではない。
【０１５３】
【化５４】
2005084074.tif 000055
【０１５４】
【化５５】
2005084074.tif 000056
【０１５５】
【化５６】
2005084074.tif 000057
【０１５６】
本発明の一般式〔Ｓ−Ｉ〕で表される高沸点有機溶媒は、例えば米国特許第２，８３５，５７９号、特公昭５２−２７５３４号等に記載された方法によって合成できる。
【０１５７】
次に、本発明の一般式〔Ｓ−II〕で表される高沸点有機溶媒について詳しく説明する。
【０１５８】
一般式〔Ｓ−II〕において、Ｒ71は連結基を表し、該連結基は、ｎ７が２の場合二価、ｎ７が３の場合三価、ｎ７が４の場合四価、ｎ７が５の場合五価である。
【０１５９】
上記連結基は、直鎖、分岐または環状のものでもよく、また、これらは不飽和結合を有するものであってもよい。
【０１６０】
上記連結基は芳香族性を有しないものが好ましい。
【０１６１】
これらの連結基としては、例えば、アルキリデン基、シクロアルキリデン基、アルキレン基、シクロアルキレン基、アルケニレン基、シクロアルケニレン基、アルカントリイル基、シクロアルカントリイル基、アルケントリイル基、シクロアルケントリイル基、アルカンテトライル基、シクロアルカンテトライル基、アルケンテトライル基、シクロアルケンテトライル基、アルカンペンタイル基、シクロアルカンペンタイル基、アルケンペンタイル基、シクロアルケンペンタイル基が挙げられ、具体的には、例えば、メチレン、エチリデン、イソプロピリデン、シクロヘキシリデン、エチレン、エチルエチレン、プロピレン、トリメチレン、テトラメチレン、ペンタメチレン、ヘキサメチレン、ヘプタメチレン、オクタメチレン、ウンデカメチレン、２，２−ジメチルトリメチレン、１，２−シクロヘキシレン、１，４−シクロヘキシレン基、３，４−エポキシシクロヘキサン−１，２−イレン、３，８−トリシクロ［５．２．１．０２，６］デシレン、ビニレン、プロペニレン、４−シクロヘキセン−１，２−イレン、２−ペンテニレン、４−プロピル−２−オクテニレン、１，２，３−プロパントリイル、１，２，４−ブタントリイル、２−ヒドロキシ−１，２，３−プロパントリイル、２−アセチルオキシ−１，２，３−プロパントリイル、１，５，８−オクタントリイル、１，２，３−プロペントリイル、２−プロペン−１，２，４−トリイル、２，６−オクタジエン−１，４，８−トリイル、１，２，３，４−ブタンテトライル、１，３−プロパンジイル−２−イリデン、１，３，５，８−オクタンテトライル、１−ブテン−１，２，３，４−テトライル、３−オクテン−１，３，５，８−テトライル、１，２，３，４，５−ペンタンペンタイル、１，２，３，５，６−ヘキサンペンタイル、２−ペンテン−１，２，３，４，５−ペンタイル、３，５−デカジエン−１，２，３，９，１０−ペンタイルが挙げられる。
【０１６２】
ｎ７は２以上５以下の整数を表すが、好ましくは２と３であり、より好ましくは２である。
【０１６３】
Ｒ72は炭素原子数２０以下のアルキル基、シクロアルキル基、アルケニル基またはアルキニル基を表すが、詳しくは、メチル基、エチル基、ｎ−ブチル基、ペンチル基、ネオペンチル基、ヘキシル基、シクロヘキシル基、オクテニル基、２−エチルヘキシル基、デシル基、ドデシル基、ヘキサデシル基、エイコサニル基等の直鎖及び分岐鎖のアルキル基、またはシクロアルキル基、２−ブテニル基、２−ペンテニル基、２−ノニル−２−ブテニル基、２，５−オクタジエニル基等のアルケニル基及び２−プロピニル基、２−ペンテン−４−イニル基、オクタン−５−イニル基等のアルキニル基を表すが、好ましくは、アルキル基である。
【０１６４】
これらのＲ71及びＲ72は更に置換基を有していても良く、好ましい置換基はアルコキシ基、アリールオキシ基、エポキシ基、ヒドロキシ基、アシルオキシ基、アリール基、アルキルチオ基、アリールチオ基、アシル基、アシルアミノ基、ケトン基、ハロゲン原子等であり、より好ましくは、アルコキシ基（メトキシ、ブトキシ、ブトキシエトキシ等）、エポキシ基、ヒドロキシ基、アシルオキシ基（アセチルオキシ、プロピオニルオキシ、シクロヘキサノイルオキシ等）、ハロゲン原子（フッ素原子等）である。
【０１６５】
次に一般式〔Ｓ−II〕で表される高沸点有機溶媒の具体例を示すが、本発明はこれらに限定されるものではない。
【０１６６】
【化５７】
2005084074.tif 000058
【０１６７】
【化５８】
2005084074.tif 000059
【０１６８】
【化５９】
2005084074.tif 000060
【０１６９】
【化６０】
2005084074.tif 000061
【０１７０】
本発明において高沸点有機溶媒とは、１気圧での沸点が１６０℃以上の有機溶媒を意味する。
【０１７１】
本発明において、一般式〔Ｓ−Ｉ〕及び〔Ｓ−II〕で表される高沸点有機溶媒の使用量は、一般式（１）で表されるイエローカプラーの種類及び使用量に応じて変化し、特定することはできないが、高沸点有機溶媒（質量）／カプラー（質量）比が０．０５〜２０であることが好ましい。
【０１７２】
本発明の、一般式（１）で表されるイエローカプラーをハロゲン化銀乳剤層に含有させる方法としては、種々の方法が用いられるが、好ましくは本発明の高沸点有機溶媒で本発明のイエローカプラーを溶解し分散することである。
【０１７３】
本発明の高沸点有機溶媒は、単独で用いてもよいし、２種以上併用してもよい。
【０１７４】
また、他の高沸点有機溶媒を併用してもよい。
【０１７５】
また、上記溶解を助けるために、低沸点有機溶媒、水と混和性の有機溶媒を使用することができる。
【０１７６】
低沸点有機溶媒としては、酢酸エチル、酢酸ブチル、シクロヘキサノン、イソブチルアルコール、メチルエチルケトン、メチルセロソルブなどが挙げられる。
【０１７７】
水と混和性の有機溶媒としては、メチルアルコール、エチルアルコール、アセトン、フェノキシエタノール、テトラヒドロフラン、ジメチルホルムアミドなどが挙げられる。
【０１７８】
これらの低沸点有機溶媒や水と混和性の有機溶媒は、水洗などの方法により、あるいは塗布乾燥等により除去することができる。
【０１７９】
また、以上述べた有機溶媒は二種以上を組み合わせて用いることもできる。
【０１８０】
次に、本発明の一般式〔ＳＴ−Ｉ〕で表される化合物について説明する。
【０１８１】
Ｒ81、Ｒ82及びＲ83で表される脂肪族基の例としては、炭素数１〜３２のアルキル基、アルケニル基、アルキニル基、シクロアルキル基、シクロアルケニル基等が挙げられる。アルキル基、アルケニル基及びアルキニル基は直鎖でも分岐でもよい。また、これらの脂肪族基には置換基を有するものも含む。
【０１８２】
Ｒ81、Ｒ82及びＲ83で表される芳香族基の例としては、アリール基（例えば、フェニル基等）、芳香族ヘテロ環基（例えば、ピリジル基、フリル基等）等が挙げられる。また、これらの芳香族基には置換基を有するものも含む。
【０１８３】
Ｒ81、Ｒ82及びＲ83は好ましくはそれぞれアルキル基又はアリール基であり、Ｒ81、Ｒ82及びＲ83は各々同じでも異っていてもよく、Ｒ81、Ｒ82及びＲ83の炭素原子数の総和は好ましくは６〜５０である。
【０１８４】
Ｒ81、Ｒ82及びＲ83で表される脂肪族基又は芳香族基の置換基としては特に制限はないが、好ましくはアルコキシ基、アリールオキシ基、アシル基、アシルオキシ基、アルコキシカルボニル基、アリールオキシカルボニル基、カルバモイル基、スルファモイル基、アシルアミノ基、アミノ基等が挙げられる。
【０１８５】
ｌ８、ｍ８及びｎ８はそれぞれ０又は１を表すが、ｌ８、ｍ８及びｎ８が同時に１であることはない。即ちＲ81、Ｒ82及びＲ83で表される脂肪族基又は芳香族基の少なくとも１つは、リン原子と直接結合している。ｌ８、ｍ８及びｎ８は全て０であることが好ましい。
【０１８６】
以下に、本発明一般式〔ＳＴ−Ｉ〕で表される化合物の代表的具体例を示すが、本発明はこれによって限定されるものではない。
【０１８７】
【化６１】
2005084074.tif 000062
【０１８８】
【化６２】
2005084074.tif 000063
【０１８９】
【化６３】
2005084074.tif 000064
【０１９０】
【化６４】
2005084074.tif 000065
【０１９１】
【化６５】
2005084074.tif 000066
【０１９２】
【化６６】
2005084074.tif 000067
【０１９３】
【化６７】
2005084074.tif 000068
【０１９４】
本発明の一般式〔ＳＴ−Ｉ〕で表される化合物は特開昭５６−１９０４９号公報第４頁〜５頁に記載されている化合物も含む。
【０１９５】
本発明の一般式〔ＳＴ−Ｉ〕で表される化合物は市販されているものもあるが、例えば特開昭５６−１９０４９号公報；英国特許第６９４，７７２号明細書；ジャーナル・オブ・ザ・アメリカン・ケミカル・ソサイエティ，１９５７年，第７９巻，第６５２４頁［Ｊ．Ａｍ．Ｃｈｅｍ．Ｓｏｃ．，７９，６５２４（１９５７）］；ジャーナル・オブ・オーガニック・ケミストリー，１９６０年，第２５巻，第１０００頁［Ｊ．Ｏｒｇ．Ｃｈｅｍ．，２５，１０００（１９６０）］；オーガニック・シンセシス，１９５１年，第３１巻，第３３頁［Ｏｒｇ．Ｓｙｎｔｈ．，３１，３３（１９５１）］等に記載の方法により合成できる。
【０１９６】
次に、一般式〔ＳＴ−II〕で表される化合物について説明する。
【０１９７】
一般式〔ＳＴ−II〕において、Ｒ91及びＲ92で表されるアルキル基としては、炭素数１〜３２のもの、アルケニル基、アルキニル基としては炭素数２〜３２のもの、シクロアルキル基、シクロアルケニル基としては炭素数３〜１２のものが挙げられる。アルキル基、アルケニル基、アルキニル基は直鎖でも分岐でもよい。また、これらの基は置換基を有するものも含む。
【０１９８】
Ｒ91及びＲ92で表されるアリール基としてはフェニル基が好ましく、該基は置換基を有するものも含む。
【０１９９】
Ｒ91及びＲ92で表される複素環基としては５〜７員のものが好ましく、縮合していてもよく、またこれらの基は置換基を有するものも含む。
【０２００】
Ｒ91及びＲ92で表されるアルコキシ基としては、置換基を有するものも含み、例えば２−エトキシエトキシ基、ペンタデシルオキシ基、２−ドデシルオキシエトキシ基、フェネチルオキシエトキシ基等が挙げられる。
【０２０１】
また、アリールオキシ基としてはフェニルオキシ基が好ましく、アリール核は置換されていてもよく、例えばフェノキシ基、ｐ−ｔ−ブチルフェノキシ基、ｍ−ペンタデシルフェノキシ基等が挙げられる。
【０２０２】
更に、複素環オキシ基としては５〜７員の複素環を有するものが好ましく、該複素環は更に置換基を有していてもよく、例えば、３，４，５，６−テトラヒドロピラニル−２−オキシ基、１−フェニルテトラゾール−５−オキシ基が挙げられる。
【０２０３】
本発明の一般式〔ＳＴ−II〕で表される化合物の中でとくに好ましいものは、下記一般式〔ＳＴ−II′〕で表される化合物である。
【０２０４】
一般式〔ＳＴ−II′〕
Ｒ95−ＮＨＳＯ2−Ｒ96
一般式〔ＳＴ−II′〕において、Ｒ95及びＲ96はそれぞれアルキル基又はアリール基であり、これらの基は置換されているものも含む。更に好ましくは、Ｒ95及びＲ96の少なくとも一方がアリール基である。最も好ましくは、Ｒ95及びＲ96が共にアリール基であり、特に好ましくはフェニル基である。ここで、Ｒ95がフェニル基のとき、スルホンアミド基のパラ位の置換基のハメットのσｐ値が−０．４以上であることが特に好ましい。
【０２０５】
Ｒ95又はＲ96で表されるアルキル基及びアリール基は、前記一般式〔ＳＴ−II〕のＲ91又はＲ92で表されるアルキル基、アリール基と同義である。
【０２０６】
また、本発明の一般式〔ＳＴ−II〕で表される化合物はＲ91又はＲ92において２量体以上の多量体を形成してもよく、また、Ｒ91とＲ92は互いに結合して５〜６員環を形成してもよい。
【０２０７】
また、本発明の一般式〔ＳＴ−II〕で表される化合物の炭素原子数の総和は８以上であることが好ましく、特に好ましくは１２以上である。
【０２０８】
以下に本発明の一般式〔ＳＴ−II〕で表される化合物の代表的具体例を示すが本発明はこれらによって限定されるものではない。
【０２０９】
【化６８】
2005084074.tif 000069
【０２１０】
【化６９】
2005084074.tif 000070
【０２１１】
【化７０】
2005084074.tif 000071
【０２１２】
【化７１】
2005084074.tif 000072
【０２１３】
【化７２】
2005084074.tif 000073
【０２１４】
【化７３】
2005084074.tif 000074
【０２１５】
【化７４】
2005084074.tif 000075
【０２１６】
【化７５】
2005084074.tif 000076
【０２１７】
【化７６】
2005084074.tif 000077
【０２１８】
【化７７】
2005084074.tif 000078
【０２１９】
【化７８】
2005084074.tif 000079
【０２２０】
【化７９】
2005084074.tif 000080
【０２２１】
【化８０】
2005084074.tif 000081
【０２２２】
【化８１】
2005084074.tif 000082
【０２２３】
【化８２】
2005084074.tif 000083
【０２２４】
本発明の一般式〔ＳＴ−II〕で表される化合物は、例えば特開昭６２−１７８２５８号公報記載の方法等、従来公知の方法で合成することができる。
【０２２５】
本発明の一般式〔ＳＴ−II〕で表される化合物の使用量は、カプラーに対して５〜５００モル％が好ましく、より好ましくは１０〜３００モル％である。
【０２２６】
本発明の一般式〔ＳＴ−II〕で表される化合物の一部は、特開昭５７−７６５４３号、同５７−１７９８４２号、同５８−１１３９号、同６２−１７８２５８号等の各公報に記載されている。
【０２２７】
次に、本発明の一般式〔ＳＴ−III〕で表される化合物について説明する。
【０２２８】
Ｊ3で表される２価の有機基としては、例えばアルキレン基、アルケニレン基、シクロアルキレン基、アリーレン基、複素環基、−Ｊ31−ＮＨ−基（但しＪ31はアリーレン基を表す。）が挙げられ、これらの基は置換基を有しても良い。
【０２２９】
Ｙで表されるアルキル基、シクロアルキル基、アリール基、アルケニル基、アルキニル基、シクロアルケニル基としては、炭素原子数１〜３２の範囲にあるものが好ましい。これらアルキル基、アルケニル基及びアルキニル基は直鎖でも分岐でもよい。又、これらの基は置換基を有するものも含む。
【０２３０】
又、Ｙで表される複素環基としては、含窒素複素環基が好ましく、例えばピロリル基、ピラゾリル基、イミダゾリル基、ピリジル基、ピロリニル基、イミダゾリジニル基、イミダゾリニル基、ピペラジニル基、ピペリジニル基が挙げられる。これら複素環基は置換基を有するものも含む。
【０２３１】
以下に、一般式〔ＳＴ−III〕で表される化合物の代表的具体例を示すが本発明はこれらによって限定されるものではない。
【０２３２】
【化８３】
2005084074.tif 000084
【０２３３】
【化８４】
2005084074.tif 000085
【０２３４】
【化８５】
2005084074.tif 000086
【０２３５】
一般式〔ＳＴ−IV〕で表される化合物のうち、本発明で特に好ましいものは、下記一般式〔ＳＴ−IVＡ〕〜〔ＳＴ−IVＤ〕で表される化合物である。
【０２３６】
【化８６】
2005084074.tif 000087
【０２３７】
式中Ｒ114〜Ｒ123は、それぞれ前記一般式〔ＳＴ−IV〕におけるＲ111〜Ｒ112と同義である。ｌ１０は０〜６の整数を表し、ｍ１０は１〜１０の整数を表す。
【０２３８】
また、一般式〔ＳＴ−IVＣ〕において、Ｒ118〜Ｒ121から選ばれる任意の２つが互いに結合して環を形成してもよい。
【０２３９】
また、本発明では特開昭６２−２５７１５２号、同６２−２５７１５３号、同６２−２７２２４７号明細書に記載された化合物も好ましく用いることができる。
【０２４０】
次に、一般式〔ＳＴ−IV〕で表される化合物の代表的具体例を示すが本発明はこれらによって限定されるものではない。
【０２４１】
【化８７】
2005084074.tif 000088
【０２４２】
【化８８】
2005084074.tif 000089
【０２４３】
【化８９】
2005084074.tif 000090
【０２４４】
【化９０】
2005084074.tif 000091
【０２４５】
【化９１】
2005084074.tif 000092
【０２４６】
【化９２】
2005084074.tif 000093
【０２４７】
【化９３】
2005084074.tif 000094
【０２４８】
【化９４】
2005084074.tif 000095
【０２４９】
これらの化合物は市販されているものもあるが、例えば特公昭５６−１６１６号、特開昭６２−２５７１５２号、同６２−２７２２４７号に記載の方法により合成することができる。
【０２５０】
本発明のハロゲン化銀写真感光材料は、支持体上に青感性ハロゲン化銀乳剤層、緑感性ハロゲン化銀乳剤層及び赤感性ハロゲン化銀乳剤層を含む写真構成層を有しており、該青感性ハロゲン化銀乳剤層の少なくとも一層に、前記一般式（１）で表されるイエローカプラー及び前記本発明に係わる各種の高沸点溶剤や添加剤を含有することを特徴とするハロゲン化銀カラー写真感光材料であり、各乳剤層の塗設位置は任意であるが、支持体側から順次青感性ハロゲン化銀乳剤層、緑感性ハロゲン化銀乳剤層、赤感性ハロゲン化銀乳剤層の配列とすることが好ましい。
【０２５１】
本発明に使用されるハロゲン化銀乳剤は当業界公知のハロゲン化銀カラー写真用乳剤が用いられる。該乳剤は、常法により化学増感することができ、増感色素を用いて、化学増感され所望の波長域に光学的に増感されたものである。該乳剤のバインダーとしては、ゼラチンを用いるのが有利である。
【０２５２】
光学的に増感された青感性ハロゲン化銀乳剤層、緑感性ハロゲン化銀乳剤層及び赤感性ハロゲン化銀乳剤層にはそれぞれカプラーが、例えば、青感性ハロゲン化銀乳剤層には、イエローカプラーが、緑感性ハロゲン化銀乳剤層には、例えばマゼンタカプラーが、また、赤感性ハロゲン化銀乳剤層には、シアンカプラーがといった組み合わせで組み合わされ各乳剤層を形成する。これらの乳剤層が、目的に応じて適当な厚さの中間層、更にフィルター層、カール防止層、保護層、アンチハレーション層等の種々の層と共に支持体上に塗設されハロゲン化銀カラー写真感光材料を構成する。なお、各感色性乳剤層とカプラーの関係は必ずしも前記のように固定されるものではなく、目的に応じて組み合わされてもよい。
【０２５３】
これらの構成層には結合剤として親水性コロイドを用いることができ、ゼラチンが好ましく用いられる。またその層中には後述する種々の写真用添加剤を含有せしめることができる。
【０２５４】
本発明のハロゲン化銀カラー写真感光材料には、本発明に係る前記イエローカプラー以外にマゼンタカプラー、シアンカプラー等が用いられる。マゼンタカプラー、シアンカプラーとしては、特に制限がなく公知のものが使用できる。
【０２５５】
マゼンタカプラーとしては、例えば５−ピラゾロン系カプラー、ピラゾロベンツイミダゾール系カプラー、ピラゾロトリアゾール系カプラー、閉鎖アシルアセトニトリル系カプラーを用いることができる。シアンカプラーとしては、例えば、公知のフェノール系、ナフトール系又はイミダゾール系、アゾール系カプラーを用いることができる。
【０２５６】
前記のようにカプラーを本発明の感光材料に含有せしめるには、通常用いられる公知の技術が適用できる。カプラーを高沸点溶媒に、必要に応じて低沸点溶媒を併用して溶解し、微粒子状に、高分子コロイド（例えばゼラチン）水溶液に分散して本発明に係るハロゲン化銀乳剤に添加するのが好ましい。このとき必要に応じてハイドロキノン誘導体、紫外線吸収剤、褪色防止剤等添加剤を併用してもさしつかえない。
【０２５７】
ハロゲン化銀写真感光材料には、親水性コロイド層にフィルター染料として、或いはイラジエーション防止その他種々の目的で、水溶性染料を含有してもよい。
【０２５８】
本発明のハロゲン化銀写真感光材料には前記の他に各種の写真用添加剤を含有せしめることができる。例えばカブリ防止剤、現像促進剤、現像遅延剤、漂白促進剤、安定剤、紫外線吸収剤、色汚染防止剤、蛍光増白剤、色画像褪色防止剤、帯電防止剤、硬膜剤、界面活性剤、可塑剤、湿潤剤等を用いることができる（ＲＤ１７６４３号を参照できる）。
【０２５９】
更に色補正の効果を有しているカラードカプラー、競合カプラー及び現像主薬の酸化体とのカップリングによって現像促進剤、漂白促進剤、現像剤、ハロゲン化銀溶剤、調色剤、硬膜剤、かぶり剤、かぶり防止剤、化学増感剤、分光増感剤、及び減感剤のような写真的に有用なフラグメントを放出する化合物を用いることができる。
【０２６０】
本発明のハロゲン化銀写真感光材料の支持体は、例えばバライタ紙、ポリエチレン被覆紙、ポリプロピレン合成紙、ガラス板、セルロースアセテート、セルロースナイトレート、ポリエチレンテレフタレート等のポリエステルフィルム、ポリアミドフィルム、ポリカーボネートフィルム、ポリスチレンフィルム等があり、透明支持体の場合は反射層を併用してもよい。
【０２６１】
これらの支持体は感光材料の使用目的に応じて適宜選択される。
【０２６２】
本発明において用いられる乳剤層及びその他の構成層の塗設には、ディッピング塗布、エアードクター塗布、カーテン塗布、ホッパー塗布等種々の塗布方法を用いることができる。また米国特許２，７８１，７９１号、同２，９４１，８９８号に記載の方法による２層以上の同時塗布法を用いることもできる。
【０２６３】
本発明に係わるハロゲン化銀カラー写真感光材料の処理方法については特に制限はなく、通常知られているあらゆる処理方法が適用できる。例えばその代表的なものとしては、発色現像後、漂白定着処理を行い、必要なら更に水洗及び／又は安定処理を行う方法、発色現像後、漂白と定着を分離して行い、必要に応じ更に水洗及び／又は安定処理を行う方法、何れの方法を用いて処理してもよいが、本発明のハロゲン化銀カラー写真感光材料は、発色現像、漂白定着、水洗（又は安定化）の工程で迅速に処理されるのに適しており、迅速処理において発色性に優れ、色再現性及び色素画像の光に対する堅牢性が著しく改良されたハロゲン化銀カラー写真感光材料となる。
【実施例】
【０２６４】
以下、実施例を挙げて本発明を詳細に説明するが、本発明はこれに限定されない。
【０２６５】
実施例１
紙支持体の片面にポリエチレンをラミネートし、もう一方の面に酸化チタンを含有するポリエチレンをラミネートした支持体上に、以下表１，２に示す構成の各層を酸化チタンを含有するポリエチレン層の側に塗設し、多層カラー感光材料試料１を作製した。塗布液は下記の如く調製した。
【０２６６】
第１層塗布液
イエローカプラー（Ｙ−１）２６．７ｇ、色素画像安定化剤（ＳＴ−１）１０．０ｇ、（ＳＴ−２）６．６７ｇ、添加剤（ＨＱ−１）０．６７ｇ、イラジエーション防止染料（ＡＩ−３）０．３３ｇ、高沸点有機溶媒（ＤＮＰ）６．６７ｇに酢酸エチル６０ｍｌを加え溶解し、この溶液を２０％界面活性剤（ＳＵ−１）７ｍｌを含有する１０％ゼラチン水溶液２２０ｍｌに超音波ホモジナイザーを用いて乳化分散させてイエローカプラー分散液を作製した。この分散液を下記条件にて作製した青感性ハロゲン化銀乳剤（銀８．６８ｇ含有）と混合し第１層塗布液を調製した。
【０２６７】
第２層〜第７層塗布液も、カプラー、高沸点有機溶媒、添加剤等を表１，２に示したものにかえ、上記第１層塗布液と同様に調製した。
【０２６８】
尚、青感光性ハロゲン化銀乳剤、緑感光性ハロゲン化銀乳剤、赤感光性ハロゲン化銀乳剤についてはその製法を下記に示した。
【０２６９】
又、硬膜剤として第２層及び第４層に（Ｈ−１）を、第７層に（Ｈ−２）を添加した。塗布助剤としては界面活性剤（ＳＵ−２）、（ＳＵ−３）を添加し、表面張力を調整した。なお、感光材料中の添加量は、特に記載のない限り１ｍ2当たりのグラム数を示す。
【０２７０】
【表１】
2005084074.tif 000096
【０２７１】
【表２】
2005084074.tif 000097
【０２７２】
ＳＵ−１：トリ−ｉ−プロピルナフタレンスルホン酸ナトリウム
ＳＵ−２：スルホ琥珀酸ジ（２−エチルヘキシル）・ナトリウム塩
ＳＵ−３：スルホ琥珀酸ジ（２，２，３，３，４，４，５，５−オクタフルオ
ロペンチル）・ナトリウム塩
ＤＢＰ：ジブチルフタレート
ＤＮＰ：ジノニルフタレート
ＤＯＰ：ジオクチルフタレート
ＤＩＤＰ：ジ−ｉ−デシルフタレート
ＰＶＰ：ポリビニルピロリドン
ＨＱ−１：２，５−ジ−ｔ−オクチルハイドロキノン
ＨＱ−２：２，５−ジ−ｓｅｃ−ドデシルハイドロキノン
ＨＱ−３：２，５−ジ−ｓｅｃ−テトラデシルハイドロキノン
ＨＱ−４：２−ｓｅｃ−ドデシル−５−ｓｅｃ−テトラデシルハイドロキノン
ＨＱ−５：２，５−ジ（１，１−ジメチル−４−ヘキシルオキシカルボニル）
ブチルハイドロキノン
Ｈ−１：テトラキス（ビニルスルホニルメチル）メタン
Ｈ−２：２，４−ジクロロ−６−ヒドロキシ−ｓ−トリアジン・ナトリウム
【０２７３】
【化９５】
2005084074.tif 000098
【０２７４】
【化９６】
2005084074.tif 000099
【０２７５】
【化９７】
2005084074.tif 000100
【０２７６】
（青感性ハロゲン化銀乳剤の調製方法）
４０℃に保温した２％ゼラチン水溶液１０００ｍｌ中に、下記（Ａ液）及び（Ｂ液）をｐＡｇ＝６．５、ｐＨ＝３．０に制御しつつ３０分かけて同時添加し、更に（Ｃ液）及び（Ｄ液）をｐＡｇ＝７．３、ｐＨ＝５．５に制御しつつ１８０分かけて同時添加した。ｐＨの制御は硫酸又は水酸化ナトリウムの水溶液を用いて行い、ｐＡｇの制御は、下記組成の制御液を用いた。制御液の組成は、塩化ナトリウムと硫化カリウムからなる混合ハロゲン化物塩水溶液であり、塩化物イオンと臭化物イオンの比は、９９．８：０．２とし、制御液の濃度は、Ａ液、Ｂ液を混合する際には、０．１モル／リットル、Ｃ液、Ｄ液を混合する際には１モル／リットルとした。
【０２７７】
（Ａ液）
塩化ナトリウム                                                    ３．４２ｇ
臭化カリウム                                                      ０．０３ｇ
水を加えて                                            ２００ｍｌに仕上げた。
【０２７８】
（Ｂ液）
硝酸銀                                                                １０ｇ
水を加えて                                            ２００ｍｌに仕上げた。
【０２７９】
（Ｃ液）
塩化ナトリウム                                                  １０２．７ｇ
臭化カリウム                                                        １．０ｇ
水を加えて                                            ６００ｍｌに仕上げた。
【０２８０】
（Ｄ液）
硝酸銀                                                              ３００ｇ
水を加えて                                            ６００ｍｌに仕上げた。
【０２８１】
添加終了後、花王アトラス社製デモールＮの５％水溶液と硫酸マグネシウムの２．０％水溶液を用いて脱塩を行った後、ゼラチン水溶液と混合して平均粒径０．８５μｍ、変動係数０．０７、塩化銀含有率９９．５モル％の単分散立方体乳剤ＥＭＰ−１を得た。
【０２８２】
上記乳剤ＥＭＰ−１に対し、下記化合物を用い５０℃にて９０分化学熟成を行い、青感性ハロゲン化銀乳剤（Ｅｍ−Ｂ）を得た。
【０２８３】
チオ硫酸ナトリウム                                    ０．８ｍｇ／モルＡｇＸ
塩化金酸                                              ０．５ｍｇ／モルＡｇＸ
安定剤  ＳＴＡＢ−１                              ６×１０-4モル／モルＡｇＸ
増感色素  ＢＳ−１                                ４×１０-4モル／モルＡｇＸ
増感色素  ＢＳ−２                                １×１０-4モル／モルＡｇＸ
（緑感性ハロゲン化銀乳剤の調製方法）
（Ａ液）と（Ｂ液）の添加時間及び（Ｃ液）と（Ｄ液）の添加時間を変更する以外はＥＭＰ−１と同様にして、平均粒径０．４３μｍ、変動係数０．０８、塩化銀含有率９９．５モル％の単分散立方体乳剤ＥＭＰ−２を得た。
【０２８４】
ＥＭＰ−２に対し、下記化合物を用いて５５℃で１２０分化学熟成を行い、緑感性ハロゲン化銀乳剤（Ｅｍ−Ｇ）を得た。
【０２８５】
チオ硫酸ナトリウム                                    １．５ｍｇ／モルＡｇＸ
塩化金酸                                              １．０ｍｇ／モルＡｇＸ
安定剤  ＳＴＡＢ−１                              ６×１０-4モル／モルＡｇＸ
増感色素  ＧＳ−１                                ４×１０-4モル／モルＡｇＸ
（赤感性ハロゲン化銀乳剤の調製方法）
（Ａ液）と（Ｂ液）の添加時間及び（Ｃ液）と（Ｄ液）の添加時間を変更する以外はＥＭＰ−１と同様にして、平均粒径０．５０μｍ、変動係数０．０８、塩化銀含有率９９．５モル％の単分散立方体乳剤ＥＭＰ−３を得た。
【０２８６】
ＥＭＰ−３に対し、下記化合物を用いて６０℃で９０分化学熟成を行い、赤感性ハロゲン化銀乳剤（Ｅｍ−Ｒ）を得た。
【０２８７】
チオ硫酸ナトリウム                                    １．８ｍｇ／モルＡｇＸ
塩化金酸                                              ２．０ｍｇ／モルＡｇＸ
安定剤  ＳＴＡＢ−１                              ６×１０-4モル／モルＡｇＸ
増感色素  ＲＳ−１                                １×１０-4モル／モルＡｇＸ
【０２８８】
【化９８】
2005084074.tif 000101
【０２８９】
試料１の第１層のイエローカプラー（Ｙ−１）およびＤＮＰを、それぞれ等質量の表３〜表７に示すカプラー及び化合物の組合せに変えた以外は同様にして多層カラー感光材料試料２〜７６を作製した。
【０２９０】
このようにして得られた試料について、以下の方法により各特性を評価した。
【０２９１】
尚、処理条件は以下の通りである。
【０２９２】
《処理条件》
処理工程        温    度          時  間
発色現像    ３５．０±０．３℃    ４５秒
漂白定着    ３５．０±０．５℃    ４５秒
安定化      ３０〜３４℃          ９０秒
乾    燥    ６０〜８０℃          ６０秒
（発色現像液）
純水                                                              ８００ｍｌ
トリエタノールアミン                                                  １０ｇ
Ｎ，Ｎ−ジエチルヒドロキシルアミン                                      ５ｇ
臭化カリウム                                                      ０．０２ｇ
塩化カリウム                                                            ２ｇ
亜硫酸カリウム                                                      ０．３ｇ
１−ヒドロキシエチリデン−１，１−ジホスホン酸                      １．０ｇ
エチレンジアミン四酢酸                                              １．０ｇ
カテコール−３，５−ジスルホン酸二ナトリウム塩                      １．０ｇ
ジエチレングリコール                                                  １０ｇ
Ｎ−エチル−Ｎ−β−メタンスルホンアミドエチル−３−メチル−
４−アミノアニリン硫酸塩（ＣＤ−３）                              ４．５ｇ
蛍光増白剤（４，４′−ジアミノスチルベンスルホン酸誘導体）          １．０ｇ
炭酸カリウム                                                          ２７ｇ
水を加えて全量を１リットルとし、ｐＨ＝１０．１０に調整する。
【０２９３】
（漂白定着液）
エチレンジアミン四酢酸第二鉄アンモニウム２水塩                        ６０ｇ
エチレンジアミン四酢酸                                                  ３ｇ
チオ硫酸アンモニウム（７０％水溶液）                              １００ｍｌ
亜硫酸アンモニウム（４０％水溶液）                              ２７．５ｍｌ
水を加えて全量を１リットルとし、炭酸カリウム又は氷酢酸でｐＨ＝５．７に調整する。
【０２９４】
（安定化液）
５−クロロ−２−メチル−４−イソチアゾリン−３−オン                ０．２ｇ
１，２−ベンゾイソチアゾリン−３−オン                              ０．３ｇ
エチレングリコール                                                  １．０ｇ
１−ヒドロキシエチリデン−１，１−ジホスホン酸                      ２．０ｇ
ｏ−フェニルフェノールナトリウム                                    １．０ｇ
エチレンジアミン四酢酸                                              １．０ｇ
水酸化アンモニウム（２０％水溶液）                                  ３．０ｇ
蛍光増白剤（４，４′−ジアミノスチルベンスルホン酸誘導体）          １．５ｇ
水を加えて全量を１リットルとし、硫酸又は水酸化カリウムでｐＨ＝７．０に調整する。
【０２９５】
《発色性、耐光性》
上記試料１〜７６について、光学ウェッジを通して白色光により露光した後、上記の処理条件により処理を行った。発色性としては、得られた各試料について緑色光により最大発色濃度（Ｄｍａｘ）を求めた。また、耐光性としては、フェードメーターにて１０日間褪色試験を行い、緑色光により初濃度１．０における色素画像の残存率（％）を求めた。
【０２９６】
《色再現性》
まず、カラーネガフィルム（コニカカラーセンチュリア８００：コニカ社製）とカメラ（コニカＦＴ−１：コニカ社製）を用い、マクベス社製カラーチェッカーを撮影した。続いてカラーネガ現像処理（ＣＮＫ−４：コニカ社製）を行い、得られたネガ像をコニカカラープリンター（ＣＬ−Ｐ２０００：コニカ社製）を用いて各試料に８２ｍｍ×１１７ｍｍの大きさにプリントした（プリンター条件は、カラーチェッカー上の灰色がプリント上で灰色になるように試料毎に設定）。得られた実技プリントの色再現性を２０人で目視で評価し、評価結果を下記の５段階で示した。
【０２９７】
５：  ２０人全てが良好と評価、
４：  ２０人中１５〜１９人が良好と評価、
３：  ２０人中１０〜１４人が良好と評価、
２：  ２０人中５〜９人が良好と評価、
１：  ２０人中０〜４人が良好と評価。
【０２９８】
《迅速処理性》
前記現像処理条件中、発色現像工程の現像時間を３０秒に短縮して現像処理を行ない、各実技プリントにおけるグレー部分の濃度、
Ｄ１；現像時間が４５秒の実技プリントにおけるカラーチェッカー部の灰色部分のブルー濃度
Ｄ２；現像時間が３０秒の実技プリントにおけるカラーチェッカー部の灰色部分のブルー濃度
をそれぞれ測定し、２者の相対比を迅速処理性と定義して比較した。
【０２９９】
迅速処理性＝Ｄ１／Ｄ２
この値が１．０に近いほど初期現像性に優れている。
【０３００】
以上の経過および結果を表３〜表５に示す。
【０３０１】
【表３】
2005084074.tif 000102
【０３０２】
【表４】
2005084074.tif 000103
【０３０３】
【表５】
2005084074.tif 000104
【０３０４】
表３〜表５から明らかなように、本発明外のイエローカプラーを用いた試料１〜５（比較）は、色再現性、発色性が不十分である。一方、本発明のイエローカプラーを用いた試料６〜９（比較）は色再現性、発色性は良化しているが、耐光性及び迅速処理性は不十分である。これに対し本発明のカプラー及び本発明の化合物を用いた試料１０〜７６（本発明）は、何れも色再現性が非常に良好であり、耐光性及び発色性も非常に良好である。さらに、迅速処理性も著しく向上している